(57)【要約】【課題】  カバーを大型化することなく火災警報器の破損を防止する。【解決手段】  火災警報器１を壁に引っ掛けるための掛止部材７１を、本体カバー４を構成する裏カバー７の壁面の一部を構成するように、当該裏カバー７と一体的且つ切り離し可能に形成すると共に、裏カバー７の一部に掛止部材７１の一端を取り付けるための取付部７２を設けた。さらに、表カバー５の内蓋６に、裏カバー７から切り離した掛止部材７１を収納可能な収納部６２を設け、不使用時は掛止部材７１を内部に収納できるようにした。これにより、必要に応じて掛止部材７１の使用と不使用とを選択することができ、常時掛止部が本体カバーと一体に形成されていることによる本体カバー４の破損を防止することができる。また、着脱自在とすることで外観の美観が向上した。【選択図】図３
2006338495.tif 000002
【特許請求の範囲】
【請求項１】
火災の発生を検知する検知手段と、
前記検知手段による火災の検知に基づき警報を行う報知手段と、
前記検知手段及び前記報知手段を内蔵する本体カバーとを備える火災警報器であって、
前記本体カバーとは別体の壁掛け用の掛止部材と、
前記本体カバーに前記掛止部材を取り付ける取付部を設けたことを特徴とする火災警報器。
【請求項２】
火災の発生を検知する検知手段と、
前記検知手段による火災の検知に基づき警報を行う報知手段と、
前記検知手段及び前記報知手段を内蔵する本体カバーとを備える火災警報器であって、
前記本体カバーのカバー壁面の一部を構成して当該本体カバーと一体的且つ切り離し可能に形成された壁掛け用の掛止部材と、
前記本体カバーから分離された前記掛止部材を取り付ける取付部を前記本体カバーに設けたことを特徴とする火災警報器。
【請求項３】
前記本体カバーは、係合部を介して互いに連結可能な表カバーと裏カバーとからなり、
前記表カバーと前記裏カバーとの連結完了の際に、表カバー又は裏カバーの何れか一方に取り付けられた前記掛止部材を押圧保持する押圧保持手段を他方の表カバー又は裏カバーに設けたことを特徴とする請求項１又は請求項２に記載の火災警報器。
【請求項４】
前記押圧保持手段は、前記他方の表カバー又は前記裏カバーに設けられた係止突起であることを特徴とする請求項３に記載の火災警報器。
【請求項５】
前記本体カバーに、前記掛止部材を収納するための収納部を設けたことを特徴とする請求項１乃至請求項４の何れか一項に記載の火災警報器。
【請求項６】
前記収納部に、前記掛止部材の収納を指示する表示を設けたことを特徴とする請求項５に記載の火災警報器。
【発明の詳細な説明】
【技術分野】
【０００１】
本発明は、家屋で用いる火災警報器に関する。
【背景技術】
【０００２】
近年、火災による被害を防止するために、一般家庭においても火災警報器の設置が望まれている。
従来の火災警報器は、火災の発生を検出するセンサ（検知手段）と、該センサの検出に基づき警報を行う警報部（報知手段）とが本体カバーの内側に格納されている。そして、本体カバーは、概ね、表カバーと裏カバーとに二分割され、これらをはめ合わせることで本体カバーとして一体化するようになっている。
そして、本体カバーには、壁や天井に取り付ける際に釘やネジ或いはフック等に掛止するための掛止部が外側に突出した状態で一体成型されている（例えば、特許文献１参照）。
【特許文献１】特開２００４−３６２５３７号公報
【発明の開示】
【発明が解決しようとする課題】
【０００３】
しかしながら、上記従来の火災警報器においては、壁掛け用の掛止部が本体カバーの外側に突出してカバー本体に一体成型されているため、例えば、該火災警報器を持ち運びする際にかさばったり破損が生じ易いという問題があった。
また、係止穴を設ける構造の場合、例えば火災警報器本体の背面側（取付面側）に掛止穴を設ける場合には、建物の壁面に設けられたフック等に引っ掛けるためには、フックを内側に挿入可能とするためのスペースが必要となり、カバー本体が大きくなるという問題もあった。
【０００４】
本発明は、カバーを大型化することなく火災警報器の破損を防止することをその目的とする。
【課題を解決するための手段】
【０００５】
上記課題を解決するため、請求項１記載の発明は、火災の発生を検知する検知手段と、前記検知手段による火災の検知に基づき警報を行う報知手段と、前記検知手段及び前記報知手段を内蔵する本体カバーと、前記本体カバーとは別体の壁掛け用の掛止部材とを備える火災警報器であって、前記本体カバーに前記掛止部材を取り付ける取付部を設けたことを特徴とする火災警報器である。
【０００６】
請求項１に記載の発明では、壁掛け用の掛止部材が本体カバーとは別体に形成される。また、当該火災警報器を使用する際には、本体カバーとは別体に形成された壁掛け用の掛止部材が、本体カバーに設けられた取付部に取り付けられて使用される。
【０００７】
請求項２に記載の発明は、火災の発生を検知する検知手段と、前記検知手段による火災の検知に基づき警報を行う報知手段と、前記検知手段及び前記報知手段を内蔵する本体カバーとを備える火災警報器であって、前記本体カバーのカバー壁面の一部を構成して当該本体カバーと一体的且つ切り離し可能に形成された壁掛け用の掛止部材と、前記本体カバーから分離された前記掛止部材を取り付ける取付部を前記本体カバーに設けたことを特徴とする火災警報器である。
【０００８】
請求項２に記載の発明では、本体カバーから切り離した掛止部材の一端部が当該本体カバーの取付部に装着される。また、本体カバーは、掛止部材の他端部で壁や天井に取り付けられる。掛止部材は、自らがフック状であっても良いし、壁や天井に設けられた突起やフックに掛けられる略環状に形成されていても良いし、或いは略矩形状などの形状に形成されていても良い。
【０００９】
請求項３に記載の発明は、請求項１又は請求項２に記載の火災警報器において、
前記本体カバーは、係合部を介して互いに連結可能な表カバーと裏カバーとからなり、
前記表カバーと前記裏カバーとの連結完了の際に、表カバー又は裏カバーの何れか一方に取り付けられた前記掛止部材を押圧保持する押圧保持手段を他方の表カバー又は裏カバーに設けたことを特徴とする。
【００１０】
請求項３に記載の発明では、本体カバーは表カバーと裏カバーとからなり、一方の表カバー又は裏カバーに取り付けられた掛止部材は、これら表カバーと裏カバーとの連結が完了した際に、他方の表カバー又は裏カバーに設けられた押圧保持手段により押圧保持される。
【００１１】
請求項４に記載の発明は、請求項３に記載の火災警報器において、前記押圧保持手段は、前記他方の表カバー又は前記裏カバーに設けられた係止突起であることを特徴とする。
【００１２】
請求項４に記載の発明では、掛止部材を本体カバーの取付部に取り付けた後、表カバーと裏カバーとが連結されると、掛止部材の一端部を押圧保持する配置で設けられた係止突起により、掛止部材が外れないように、あるいは動揺しないように保持される。
【００１３】
請求項５に記載の発明は、請求項１乃至請求項４に記載の発明において、前記本体カバーに、前記掛止部材を収納するための収納部を設けたことを特徴とする。
請求項５に記載の発明では、一度取り付けた警報器を別の場所に移動する場合などに、本体カバーから切り離した掛止部材は収納部に収納される。
【００１４】
請求項６に記載の発明は、請求項５に記載の火災警報器において、前記収納部に、前記掛止部材の収納を指示する表示を設けたことを特徴とする。
請求項６に記載の発明では、本体カバーから切り離した掛止部材は収納部に収納可能である旨がユーザーに示される。
【発明の効果】
【００１５】
請求項１に記載の発明によれば、壁掛け用の掛止部材が取付部に対して取り付けと取り外しが可能であるため、当該火災警報機の持ち運びの際には、掛止部材を取り外しておくことにより、掛止部材が本体カバーから突出した状態で一体に形成される従来の火災警報器に比べて本体カバーの破損を有効に防止することができる。また、当該火災警報器を持ち運ぶ際にもかさばることがない。さらに、本体カバーに、壁掛け用の掛止部材を取り付ける取付部を設けたことにより、該火災警報器を壁に掛けて使用する際には本体カバーとは別体に形成された掛止部材を用いることができ、本体カバーを大型化することなく上記従来の課題を解消することができる。
【００１６】
請求項２に記載の発明によれば、壁掛け用の掛止部材は、本体カバーのカバー壁面の一部を構成して当該本体カバーと一体的に形成されるため、持ち運びの際、或いは通常使用の際において掛止部が外側に突出せず、かさばることがない。従って、本体カバーの破損を有効に防止することができる。さらに、掛止部材と本体カバーとを一体に形成することで部品点数を抑えることができ、コストを抑制することができる。また、従来のように壁側又は天井に設けられたフックを本体カバーに設けた係止穴に挿入して設置する構造ではないので、フックの挿入スペースを確保する必要がなくなる分、本体カバーの大型化を防止することができる。
【００１７】
請求項３に記載の発明によれば、表カバーと裏カバーとの連結が完了する際に、一方の表カバー又は裏カバーに取り付けられた壁掛け用の掛止部材を、他方の表カバー又は裏カバーに設けられた押圧保持手段により押圧保持することができる。これにより、壁掛け用の掛止部材を使用するに際して、当該掛止部材を本体カバーと一体的に固定することができ、当該掛止部材と本体カバーとの遊びやガタつき、不慮の外れや動揺を防止することができる。
【００１８】
請求項４に記載の発明によれば、表カバーと裏カバーとが係合部を介して連結された際、係止突起により掛止部材を固定することができる。これにより、掛止部材により当該火災警報器を壁や天井に取り付ける場合であっても、本体カバーと掛止部材との遊びの発生を防止することができ、取り付け後におけるガタつきや不慮の外れを防止することができる。
【００１９】
請求項５に記載の発明によれば、本体カバーから切り離された掛止部材を、本体カバーに形成された収納部に収納することができる。従って、一度本体カバーから分離した掛止部材を使用しない場合であっても、当該火災警報器と一体化させることができ、掛止部材の紛失を防止することができる。また、再び掛止部材を使用する場合にも容易に取り出すことができる。
【００２０】
請求項６に記載の発明によれば、本体カバーから分離した掛止部材を使用しない場合は、該収納部に収納することができるということをユーザーに示すことができる。これにより、掛止部材の紛失を防止することができる。
【発明を実施するための最良の形態】
【００２１】
次に、本発明の実施形態たる火災警報器１の構成について、図面を参照して詳しく説明する。
本実施形態たる火災警報器１は、家庭用として一般住宅（主に戸建）の家屋内に設置され、主として天井や壁などに取り付けて使用されるものであって、煙の有無を検知することで火災の発生を検出するものである。
また、以下の説明において火災警報器１の上又は下を示す語句は、後述する掛止部材７１を用いて壁に取り付けられた場合に上又は下となる場合を示すものとする。
【００２２】
（実施形態の全体構成）
火災警報器１は、火災の発生を検知する検知手段（煙検出部）としてのセンサ２と、検知手段による火災の検知に基づき警報を行う報知手段としてのブザー３と、これらセンサ２及びブザー３を内蔵する本体カバー４と、を備えて主要部が構成されている（図１参照）。
【００２３】
センサ２は、後述する本体カバー４の内部の略中央部に配設されており、入り組んだラビリンス構造（図示略）を隔てて配設された図示しない発光素子と受光素子とを備えた従来周知の構成となっている。そして、平時はラビリンス構造によって遮られている発光素子の光が、後述する煙流入口５２から流入された煙により散乱されることでラビリンス構造内を通過し、受光素子に到達することで火災の発生を検知することができるようになっている。
【００２４】
ブザー３は、上述したセンサ２による煙の検出に基づき、予め設定された種々の警報音を発するように制御を行う制御回路に接続されている。また、この制御回路も本体カバー内に格納されている従来周知の構成となっている。
【００２５】
（本体カバー）
次に、本実施形態における本体カバー４について、詳しく説明する。
本体カバー４は、図１、図２に示すように、壁に取り付けた状態において室内側に面する表カバー５と、同じく壁面又は天井側に面する裏カバー７とから構成されている。これら表カバー５と裏カバー７とは、後述する係合部６５，７５を介して互いに連結可能となっている。
【００２６】
表カバー５は、プラスチック等の樹脂により一体成型で作られている扁平な略円筒型の筐体であって、その正面（室内側の筐体壁面）の中央部には略円形状の凸部５１が設けられており、該凸部５１の側面には煙流入口５２が形成されている。即ち、この煙流入口５２は、凸部５１のほぼ全周に渡って形成され、当該表カバー５の周方向のあらゆる角度から煙が流入するようになっており、ほぼ全周方向における火災の発生を検知することが可能となっている。
【００２７】
また、表カバー５の正面にはスリット５３が形成されており、該スリット５３を介して上述したブザー３が発する警報音が外部に拡散（放出）されるようになっている。
また、表カバー５の正面の下方側には押しボタン５４が設けられている。押しボタン５４は、センサ２やブザー３の動作を確認するための図示しない検査部を作動する検査スイッチや、或いはブザー３が作動して警報音を発した際に該警報音を停止するためのストップスイッチ等を兼用するようになっている。また、押しボタン５４は、一端が表カバー５の内側から当該押しボタン５４に連結された紐５５の他端を引くことによっても操作することができるようになっている。
【００２８】
表カバー５の内部には、上述したセンサ２及びブザー３が収納されており、壁面側の一端が内蓋６で覆われている。
内蓋６は、上述した表カバー５に対してネジで着脱可能に固定されており、該火災警報器１の電源となるバッテリーを収納するバッテリー収納部６１と、後述する掛止部材７１を収納する掛止部材収納部６２と、裏カバー７を連結するための係合部６５とが形成されている（図３参照）。
【００２９】
バッテリー収納部６１は、火災警報器１を壁に取り付けた際、本体カバー４内の下方側となる位置に配設されている。
【００３０】
掛止部材収納部６２は、裏カバー７に面する内蓋６の面に沿って凹状に形成されている。
この掛止部材収納部６２は、後述する掛止部材７１を収納することができるように、掛止部材７１よりも幾分大きく、平面視にて掛止部材７１と同様の形状である略Ω型を呈するようになっている（図３参照）。
また、掛止部材収納部６２には、掛止部材７１の収納を指示する表示６２ａが設けられている。表示６２ａは、後述する掛止部材７１の図柄の浮き彫りとなって内蓋６の表面に形成されている。
【００３１】
また、内蓋６には、上記表カバー５と裏カバー７との連結時に後述する取付部７２に取り付けられた掛止部材７１を押圧保持する配置となる係止突起６３が形成されている。かかる係止突起６３と前述した係合部６５については、裏カバー７の係合部７５と共に後述することとする。
【００３２】
次に、本実施形態における裏カバー７について、詳しく説明する。
裏カバー７は、上述した表カバー５の壁面側を覆う略円盤状の枠体であって、表カバー５に対し係合部７５を介して着脱自在となっている。
また、裏カバー７には、該裏カバー７の壁面自体に、壁や天井に設けられた釘やフック等に掛止可能な、当該裏カバー７の壁面を貫通する係止穴７６が形成されている（図２参照）。
係止穴７６は、裏カバー７の面部の上下左右に設けられており、裏カバー７の外側平面７ａから内側平面７ｂまで貫通する長穴状に形成されている。このうち、上部に設けられた係止穴７６は、上下方向に長尺な長穴であり、その下端側が大きく開口され、ねじの頭部等を挿通させてから本体カバー４を長穴に沿ってスライドさせることにより裏カバー７の外側平面７ａを天井や壁の取付面に密着させて取り付けることを可能としている。また、裏カバー７の面部下方側に設けられた係止穴７６は、略左右方向、即ち、当該裏カバー７の周方向に沿って形成された長穴となっており、その一端は上記同様、ねじの頭部等が挿通可能となってやや大きく開口されている。
係合部６５及び７５は、図４に示すように、それぞれ表カバー５の内蓋６及び裏カバー７の面部と平行に設けられた板状部６５ａ，７５ａを備えており、互いに一方の壁面部と板状部との間に他方の板状部がカバー周方向から入り込むように係合することで、双方のカバーが互いに密着する方向に引き合わされて連結されるようになっている。
【００３３】
そして、本実施形態における裏カバー７には、当該裏カバー７のカバー壁面の一部を構成して当該裏カバー７と一体的且つ切り離し可能に形成された壁掛け用の掛止部材７１と、裏カバーから切り取って分離された該掛止部材７１の一端部を取り付ける取付部７２とが形成されている（図３参照）。なお、図３では説明を解りやすくするため、掛止部材７１を切り離す前の状態と、掛止部材７１を切り離して、取付部７２に装着した状態の両方をまとめて描いている。
【００３４】
裏カバー７は、プラスチック等の樹脂により一体成型されており、掛止部材７１は、上述したように裏カバー７自体の壁面の一部を構成して一体的に成型されている。また、当該掛止部材７１自体が裏カバー７の全体形状から突設されないように形成されている。
この掛止部材７１は、正面視にて略Ω型の形状を呈し壁や天井に設けられた釘やフック等の突起に引っ掛けるための略環状部７１ａと、裏カバー７に取り付けるための二本の足部７１ｃとを有している（図５参照）。
そして、掛止部材７１は、この二本の足部７１ｃの端部が裏カバー７と連続的に成型されることで、裏カバー７と一体的に形成されるとともにその一体に形成された状態が保持されており、且つ、必要に応じて容易に切り離すことが可能となっている。
また、掛止部材７１の二本の足部７１ｃは、後述する取付部７２と嵌合するように、側面視にて段差７１ｂを有する形状となっている（図６参照）。
【００３５】
また、掛止部材７１には、本実施形態たる火災警報器１を壁や天井等に取り付けた際に、当該掛止部材７１をより安定して取り付け状態を保持するために、釘や鋲等を差し込むための二つの貫通孔７１ｄが形成されている。
貫通孔７１ｄは、掛止部材７１の環状部７１ａが上側、足部７１ｃが下側に向いた状態で掛止部材７１の環状部７１ａの前面から背面側に向かって下方側に傾斜して設けられており、該貫通孔７１ｄを貫通して壁面に打ち込まれた釘や鋲の、下方側への荷重に対する耐久性が向上するようになっている。
【００３６】
取付部７２は、裏カバー７の外側平面７ａの周縁に設けられ、上述した掛止部材７１の二本の足部７１ｃが嵌合する形状であって、内側平面７ｂまで貫通した二つの穴を備えている（図７、図８、図９、図１０参照）。この取付部７２には、図９、図１０に示すように、裏カバー７の背面側の斜め上方からのみ掛止部材７１の二本の足部７１ｃを挿入又は取り出すことができるようになっている。そして、図１０（ａ）に示すように、掛止部材７１の二本の足部７１ｃを外側から取付部７２に対して斜めに挿入し、図１０（ｂ）に示すように該掛止部材７１を裏カバー７と平行に保持すると、掛止部材７１の凹部７１ｅが裏カバー７の周壁７ｃの縁部と係合することで掛止部材７１は上方への移動が規制され、また、二本の足部７１ｃの背面側が裏カバー７の内側平面７ｂに当接されることで裏カバー７と掛止部材７１との背面側が同一平面を形成して係合するようになっている。
さらに、前述した係止突起６３は、表カバー５と裏カバー７とが連結された際に、該裏カバー７に形成された取付部７２に対応する位置に設けられており、取付部７２に装着された掛止部材７１と内蓋６との隙間を埋めて掛止部材７１と内蓋６及び裏カバー７の取付部７２との遊びを防ぎ、ガタつきを防止する、本発明における押圧保持手段として設けられている（図１０（ｃ）参照）。
【００３７】
次に、本実施形態たる火災警報器１の作用について、図面を参照して詳しく説明する。
まず、成型時における掛止部材７１は、前述したようにように裏カバー７の壁面の一部を構成するように、当該裏カバー７と一体に成型される。
本実施形態における裏カバー７には、四つの係止穴７６がそれぞれ設けられているため、例えば、取り付け場所の制限やユーザーの好みに応じて、掛止部材７１を使用しない場合は該掛止部材７１が裏カバー７と一体の状態のまま、係止穴７６を介して該火災警報器１が壁面に取り付けられる。特に、天井に設置する場合には、裏カバー７の外側平面７ａの面全体が天井面に接するように取り付ける場合には複数からなる係止穴７６を用いる方が好適である。
【００３８】
次に、火災警報器１を壁面に取り付ける際に掛止部材７１を使用する場合について説明する。
まず、裏カバー７と掛止部材７１との連結部である掛止部材７１の二本の足部７１ｃの先端部を、例えば、カッターやニッパーなどの工具を用いて切断する。なお、かかる切断動作は、裏カバー７に一体形成された掛止部材７１を繰り返し揺動することで、工具を用いることなく手作業で行うことも可能である。
【００３９】
次に、上述したように、裏カバー７から切り離した掛止部材７１を裏カバー７の取付部７２に取り付ける（図１０（ａ）、図１０（ｂ）、図１０（ｃ）参照）。
【００４０】
続いて、裏カバー７と表カバー５とを連結する。
かかる連結動作は、裏カバー７の係合部７５と、表カバー５側に設けられた内蓋６の係合部６５とを係合することにより行われる。即ち、係合部６５，７５が互いに隣り合うように表カバー５の内蓋６と裏カバー７の内側面とを当接させる。そして、内蓋６に対して裏カバー７が時計回り方向となるように回動させると、前述したように互いの係合部６５，７５が係合され、表カバー５と裏カバー７とが連結されて本体カバー４として一体化される。このとき、内蓋６に形成された係止突起６３が掛止部材７１の端部に当接するように移動され（図１０（ｂ）参照）、係合部６５，７５が係合した時点で掛止部材７１が固定される。ここで、掛止部材７１は三点で押えられることによりカバーに対して脱落しないように固定される。
そして、この掛止部材７１を、壁に設けられた釘やフックなどの突起に掛止することで、火災警報器１は壁面に取り付けられる。
【００４１】
また、掛止部材７１を取り外す場合は、上記と逆の動作を行うことで取り外すことができる。即ち、表カバー５に対して裏カバー７を反時計回り方向に回動させ、掛止部材７１の端部を係止突起６３の係止状態から解放すると共に表カバー５から裏カバー７を分離する。そして、図１０とは逆の操作により掛止部材７１の先端を起こして裏カバー７から抜き去る。
ここで、裏カバー７から抜き去られた掛止部材７１は、内蓋６に形成された掛止部材収納部６２の内部に収納され、表カバー５と裏カバー７とを連結することで本体カバー４の内部に格納される。この時、表示６２ａが収納部６２に施されているので、掛止部材７１をどこに収納すればよいかが一目で分かるようになっている。また、掛止部材収納部６２内に収納された掛止部材７１は、本体カバー４に格納された状態で火災警報器１とともに持ち運び可能となるものである。
【００４２】
（実施形態の効果）
以上のように、本実施形態たる火災警報器１によれば、当該火災警報器１を搬送する際、或いは通常使用の際において掛止部材７１が外側に突出せず、かさばることがない。従って、本体カバー４（特に、裏カバー７）の破損を防止することができる。また、掛止部材７１は、必要に応じて裏カバー７から分離することができ、分離した掛止部材７１は裏カバー７から突設するように取付部７２に取り付けることができる。このように本体カバー４の外部に突出した状態で設けられた掛止部材７１により壁面に取り付けることにより、係止穴７６を用いる場合に比べて目視により容易に着脱作業を行うことができ、火災警報機１の着脱時における煩雑さを解消することができる。また、上記構成により、火災警報器１を天井に取り付ける場合に好適な係止穴７６を裏カバー７に設けると共に、壁掛けに好適な掛止部材７１も備えているから、取付位置を天井又は壁のいずれにも自由に選択できる。さらに、掛止部材７１と裏カバー７とを一体的に形成することで部品点数を抑制することができ、コストを抑えることができる。
また、係止突起６３を設けたことにより、表カバー５と裏カバー７とが連結された際に掛止部材７１を固定することができる。これにより、本体カバー４と掛止部材７１とのガタつきや、不慮の外れを防止することができる。
また、裏カバー７から分離された掛止部材７１は、表カバー５の内蓋６に形成された掛止部材収納部６２に収納することができる。これにより、一度本体カバー４から分離した掛止部材７１を使用しない場合であっても、当該火災警報器１と一体化させることができ、掛止部材７１の紛失を防止することができる。また、再び掛止部材７１を使用する場合には容易に取り出すことができ、火災警報器１を取り付ける際の取り付け方及び取り付け位置の選択性を向上することができる。
また、表示６２ａを有することで、裏カバー７から分離した掛止部材７１を収納部６２に収納することができるということをユーザーに示すことができる。これにより、掛止部材７１の紛失を防止することができる。
また、掛止部材７１を使用しない場合には本体カバー４から突出される部分がなく、美観の向上が図られる。
【００４３】
なお、掛止部材７１は、表カバー５側に設ける構成としてもよい。この場合、火災警報器１を壁又は天井に設置した際に、外観に現れない部分に形成することが好ましく、例えば、表カバー５内の内蓋６と一体に形成してもよい。
また、掛止部材７１の外周は、必ずしも本実施形態に示したように円形に限定されるものではなく、例えば、略環状、略三角形状、或いは略四角形状等、壁や天井に設けられた釘やフックなどの突起に係止可能な幅が確保できるものであればよい。
また、掛止部材７１をカバーと別体で使用する場合には、収納部に予め収めた状態で収納すればよい。
収納部６２は、表カバー５、裏カバー７のうち、いずれの側に設ける構成としてもよい。
また、収納部６２は一つに限定されるものではなく複数設けてもよい。この場合、少なくとも当該火災警報器１に形成される取付部７２、或いは、掛止部材７１の数に対応する数だけ形成されていることが好ましい。
また、収納部６２は、掛止部材７１の足部７１ｃを嵌合する部分の幅を幾分狭く形成することで、その内側に収納された掛止部材７１の二つの足部７１ｃの弾性力をもって保持することができるようにしてもよい。
また、表示６２ａは、本実施形態に限らず、例えば、収納部６２を指し示す矢印、或いは、掛止部材７１の収納部であることを示す文字や絵等を浮き彫りとして形成してもよく、また、収納部６２内ではなく、収納部６２の近傍に表示されるようにしてもよい。
また、掛止部材７１は、略環状に限定されるものではなく、例えば、当該掛止部材７１をフック等の鉤状に形成することで直接壁に掛けられるようにしてもよい。
また、ブザー３は、例えば、スピーカなど、周囲に警報を行うことができるものであれば他の警報手段であってもよい。
【図面の簡単な説明】
【００４４】
【図１】本実施形態たる火災警報器の全体構成を示す正面側から見た斜視図である。
【図２】本実施形態たる火災警報器の全体構成を示す背面側から見た斜視図である。
【図３】本実施形態たる火災警報器の本体カバーの内側を示す斜視図である。
【図４】本実施形態における表カバーと裏カバーとが係合部を介して連結された状態を示す断面図である。
【図５】本実施形態における掛止部材を示す斜視図である。
【図６】本実施形態における掛止部材を示す側面図である。
【図７】本実施形態における取付部を裏カバーの壁面側から見た背面図である。
【図８】本実施形態における裏カバーの取付部を示す図であって、図７におけるＡ−Ａ矢視から見た断面図である。
【図９】本実施形態における裏カバーの取付部に掛止部材を取り付ける様子を示す説明図である。
【図１０】本実施形態における掛止部材を本体カバーに取り付ける様子を示す説明図である。
【符号の説明】
【００４５】
１      火災警報器
２      センサ（検知手段）
３      ブザー（報知手段）
４      本体カバー
５      表カバー
５１    凸部
５２    煙流入口
５３    スリット
５４    押しボタン
５５    紐
６      内蓋
６１    バッテリー収納部
６２    掛止部材収納部
６２ａ  表示
６３    係止突起
６５，７５  係合部
７      裏カバー
７ａ    裏カバー表面
７ｂ    裏カバー背面
７ｃ    周壁
７１    掛止部材
７１ａ  掛止部
７１ｂ  段差
７１ｃ  足部
７１ｄ  貫通孔
７１ｅ  凹部
７２    取付部
７６    係止穴
【図１】
2006338495.tif 000003
【図２】
2006338495.tif 000004
【図３】
2006338495.tif 000005
【図４】
2006338495.tif 000006
【図５】
2006338495.tif 000007
【図６】
2006338495.tif 000008
【図７】
2006338495.tif 000009
【図８】
2006338495.tif 000010
【図９】
2006338495.tif 000011
【図１０】
2006338495.tif 000012